(57)【要約】      （修正有）【課題】設置高さの自由度が高い飛沫防止スクリーンを提供する。【解決手段】固定構造物から吊り下げられる飛沫防止スクリーン１０１であって、複数の環状鎖素子を連結して形成された鎖１３０と、一端側が固定構造物１１０に支持され、複数の環状鎖素子から選択された第１環状鎖素子１３２に他端側が挿入された第１支持部１２０材と、複数の環状鎖素子のうち、重力方向について第１環状鎖素子よりも低い位置に位置する環状鎖素子から選択された第２環状鎖素子１３４に一端側が挿入された第２支持部材１４０と、第２支持部材の他端側に支持されたスクリーンパネル１５０と、を備える。【選択図】図１
2022001150.tif 000002
【特許請求の範囲】
【請求項１】
固定構造物から吊り下げられる飛沫防止スクリーンであって、
複数の環状鎖素子を連結して形成された鎖と、
一端側が前記固定構造物に支持され、前記複数の環状鎖素子から選択された第１環状鎖素子に他端側が挿入された第１支持部材と、
前記複数の環状鎖素子のうち、重力方向について前記第１環状鎖素子よりも低い位置に位置する環状鎖素子から選択された第２環状鎖素子に一端側が挿入された第２支持部材と、
前記第２支持部材の他端側に支持されたスクリーンパネルと、
を備える飛沫防止スクリーン。
【請求項２】
前記支持部材はレンジフードの一部である請求項１に記載の飛沫防止スクリーン。
【請求項３】
前記第２支持部材の前記他端側は前記スクリーンパネルに設けられた穴に挿入される請求項１または２に記載の飛沫防止スクリーン。
【請求項４】
前記第２支持部材は、一対の弧状部分を連結したＳ字型およびＣ字型のいずれかの形状を有する請求項３に記載の飛沫防止スクリーン。
【請求項５】
前記スクリーンパネルは、調理器具が発生した熱に耐える耐熱性を有する透明な樹脂板により形成される請求項１から４のいずれか一項に記載の飛沫防止スクリーン。
【請求項６】
前記スクリーンパネルは、ポリカーボネート樹脂、フェノール樹脂、不飽和ポリエステル樹脂、ポリスルフォン樹脂、ポリテトラフルオロエチレン（ＰＴＦＥ）樹脂、シリコーン樹脂、および、エポキシ樹脂から選択された板材により形成される請求項５に記載の飛沫防止スクリーン。
【請求項７】
前記スクリーンパネルは、調理器具が発生した熱に耐える耐熱性を有する透明な無機ガラスにより形成される請求項１から４のいずれか一項に記載の飛沫防止スクリーン。
【請求項８】
支持部材に対して吊り下げられる飛沫防止スクリーンの設置方法であって、
複数の環状鎖素子を連結して形成された鎖から第１環状鎖素子を選択する段階と、
一端側が前記支持部材に支持された第１支持部材の他端側を前記第１環状鎖素子に挿入する段階と、
前記複数の環状鎖素子のうち、重力方向について前記第１環状鎖素子よりも低い位置に位置する環状鎖素子から第２環状鎖素子を選択する段階と、
前記第２環状鎖素子に第２支持部材の一端側を挿入する段階と、
前記第２支持部材の他端側にスクリーンパネルを支持させる段階と、
を備える設置方法。
【発明の詳細な説明】
【技術分野】
【０００１】
本発明は、飛沫防止スクリーンおよびその設置方法に関する。
【背景技術】
【０００２】
キッチンカウンタで作業をしている場合に生じる発話、セキ、くしゃみ、また水、油等による飛沫が、カウンタを越えて飛散することを防止するスクリーンがある（例えば、特許文献１参照）。また、吊り下げにより機材を設置することが提案されている（例えば、特許文献２、３参照）。
特許文献１  特開２００８−２４６１６７号公報
特許文献２  実開平７−０２０９２０号公報
特許文献３  特開２００２−００５１５１号公報
【発明の概要】
【０００３】
本発明のひとつの態様においては、固定構造物から吊り下げられる飛沫防止スクリーンであって、複数の環状鎖素子を連結して形成された鎖と、一端側が固定構造物に支持され、複数の環状鎖素子から選択された第１環状鎖素子に他端側が挿入された第１支持部材と、複数の環状鎖素子のうち、重力方向について第１環状鎖素子よりも低い位置に位置する環状鎖素子から選択された第２環状鎖素子に一端側が挿入された第２支持部材と、第２支持部材の他端側に支持されたスクリーンパネルと、を備える飛沫防止スクリーンが提供される。
【０００４】
上記した発明の概要は、本発明の特徴の全てを列挙したものではない。これらの特徴群のサブコンビネーションもまた発明となり得る。
【図面の簡単な説明】
【０００５】
【図１】飛沫防止スクリーン１０１の模式的正面図である。
【図２】飛沫防止スクリーン１０１の模式的側面図である。
【図３】飛沫防止スクリーン１０１の一部を拡大して示す図である。
【図４】飛沫防止スクリーン１０１の他の一部を拡大して示す図である。
【図５】スクリーンパネル１５０の高さを変更した状態を示す図である。
【図６】スクリーンパネル１５０の高さを変更した状態を示す図である。
【図７】他の第１支持部材２２０を示す図である。
【図８】また他の第１支持部材３２０を示す図である。
【図９】他の第２支持部材２４０を示す図である。
【図１０】また他の第２支持部材３４０を示す図である。
【図１１】飛沫防止スクリーン１０２の正面図である。
【図１２】飛沫防止スクリーン１０２の背面図である。
【図１３】飛沫防止スクリーン１０２の右側面図である。
【図１４】飛沫防止スクリーン１０２の平面図である。
【図１５】飛沫防止スクリーン１０２の底面図である。
【図１６】飛沫防止スクリーン１０２の部分拡大図である。
【図１７】飛沫防止スクリーン１０２の部分拡大図である。
【図１８】飛沫防止スクリーン１０２の他の部分拡大図である。
【図１９】スクリーンパネル１５０の高さを変えた状態を示す図である。
【発明を実施するための形態】
【０００６】
以下、発明の実施の形態を通じて本発明を説明する。ただし、下記の実施形態は、特許請求の範囲に記載された発明を限定するものではない。また、下記の実施形態の中で説明されている特徴の組み合わせの全てが発明の解決手段に必須であるとは限らない。
【０００７】
図１は、飛沫防止スクリーン１０１の構造を模式的に示す正面図である。図２は、飛沫防止スクリーン１０１の模式的な側面図であり、図１に示した正面側から見て右側の飛沫防止スクリーン１０１の側面を示す。図１および図２に示すように、飛沫防止スクリーン１０１は、固定構造物１１０から吊り下げられており、第１支持部材１２０、鎖１３０、第２支持部材１４０、およびスクリーンパネル１５０を有する。飛沫防止スクリーン１０１は、これを挟んで対面する対人間での、発話、セキ、くしゃみなどによる飛沫を遮断する。
【０００８】
固定構造物１１０は、飛沫防止スクリーン１０１が設置される部屋に対して固定されたものであれば、様々なものを使用でき、例えば、飛沫防止スクリーン１０１を設置する部屋の天井、壁、または梁等であってもよい。また、固定構造物１１０は、室内で天井、壁等に対して固定された造作であってもよい。そのような固定構造物１１０としては、垂れ壁、ピクチャレール、カーテンレール、給電ダクト、照明器具等を例示できる。
【０００９】
また、飛沫防止スクリーン１０１設置場所が調理場、例えば家庭の台所や顧客へ対面で料理を提供する鉄板調理カウンタである場合は、レンジフード、棚等の、比較的高い位置に設置された造作を固定構造物１１０として使用してもよい。更に、固定構造物１１０として使用できる造作として、階段、手すり、和室における鴨居、長押、框、洋室におけるドア枠、ケーシング、笠木などを例示できる。図示の例では、キッチンカウンタの上方に設けられたレンジフード下端のオイルキャッチを固定構造物１１０としている。
【００１０】
第１支持部材１２０は、上部係合部１２２および下部係合部１２４を有する。第１支持部材１２０の上部係合部１２２は、固定構造物１１０に係合することにより、第１支持部材１２０を固定構造物１１０に支持させる。第１支持部材１２０の下部係合部１２４は、鎖１３０に係合することにより、鎖１３０を支持する。これにより、鎖１３０は、固定構造物１１０から吊り下げられる。
【００１１】
鎖１３０は、閉じた環状の環状鎖素子を複数連結して形成される。鎖１３０を形成する複数の環状鎖素子は、その内から選択されたそれぞれひとつの第１環状鎖素子１３２および第２環状鎖素子１３４を含む。第１環状鎖素子１３２は、第１支持部材１２０に係合する。図示の例では、第１環状鎖素子１３２は、鎖１３０の上端に位置するが、鎖１３０における第１環状鎖素子１３２の位置は、鎖１３０の上端に限らない。
【００１２】
第２支持部材１４０は、上部係合部１４２および下部係合部１４４を有する。第２支持部材１４０の上部係合部１４２は、鎖１３０の第２環状鎖素子１３４に係合することにより、第２支持部材１４０を鎖１３０から支持させる。第２支持部材１４０の下部係合部１４４は、スクリーンパネル１５０の貫通穴１５２に係合することにより、スクリーンパネル１５０を支持する。このような構造に鑑みて、第２支持部材１４０が係合する第２環状鎖素子１３４は、第１支持部材１２０と係合する第１環状鎖素子１３２よりも重力方向について低い位置に位置する。
【００１３】
これにより、スクリーンパネル１５０は、第２支持部材１４０、鎖１３０、および第１支持部材１２０を介して、固定構造物１１０から吊り下げられる。鎖１３０の下端側の余剰部分１３６は、スクリーンパネル１５０に沿って垂れ下がっている。
【００１４】
スクリーンパネル１５０は、平坦な板状であり、図示の例では一対の貫通穴１５２において固定構造物１１０から吊り下げられる。なお、ブッシュ、グロメット、鳩目等の他の部材により、貫通穴１５２の内面および周囲を補強してもよい。また、第２支持部材１４０の下部係合部１４４と貫通穴１５２との間に、他の部材、例えば、エラストマ、樹脂、金属板等を挟んで、貫通穴１５２を養生してもよい。
【００１５】
スクリーンパネル１５０は、それ自体の重量で撓まない剛性を有することが好ましい。また、スクリーンパネル１５０は、透明な材料で形成することにより、人の顔の高さに配置した場合であっても、視線を遮ることがない。なお、透明の程度は対面した相手の顔が認識できる程度であればよく、着色されていたりスリガラスのように曇りがついていたりしてもよい。
【００１６】
また、調理器具等の熱源の近傍にスクリーンパネル１５０を配置する場合は、熱による剛性の低下で変形が生じない程度の耐熱性を有することが好ましい。透明で耐熱性を有する樹脂材料としては、ポリカーボネート樹脂、フェノール樹脂、不飽和ポリエステル樹脂、ポリスルフォン樹脂、ポリテトラフルオロエチレン（ＰＴＦＥ）樹脂、シリコーン樹脂、および、エポキシ樹脂から選択される材料を例示できるが、これらに限定されるわけではない。また、スクリーンパネル１５０として、耐熱性を有するパイレックス（登録商標）等の無機ガラスの板材を使用してもよい。
【００１７】
図３は、飛沫防止スクリーン１０１の部分拡大図である。図３は、図２に示した飛沫防止スクリーン１０１の第１支持部材１２０の近傍を拡大して示す。
【００１８】
第１支持部材１２０の一端側である上部係合部１２２は、湾曲した弧状の形状を有する。この上部係合部１２２を、固定構造物１１０の重力方向上向きの先端に引っ掛けることにより、第１支持部材１２０は固定構造物１１０に係合する。これにより、第１支持部材１２０自身は固定構造物１１０に支持されて、重力方向について位置決めされる。
【００１９】
第１支持部材１２０の他端側である下部係合部１２４は、上部係合部１２２と対称的に湾曲した弧状の形状を有する。これにより、第１支持部材１２０は、全体としてＳ字型のＳ環を形成する。
【００２０】
下部係合部１２４の先端を、鎖１３０を形成する複数の環状鎖素子から選択された第１環状鎖素子１３２に挿入することにより、第１支持部材１２０は鎖１３０を吊り下げることができる。図示の例では、鎖１３０の上端に位置する環状鎖素子が、第１環状鎖素子１３２として選択されている。これにより、第１支持部材１２０は、鎖１３０を支持して、鎖１３０を重力方向について位置決めする。
【００２１】
図４は、飛沫防止スクリーン１０１の部分拡大図である。図４は、図２に示した飛沫防止スクリーン１０１の第２支持部材１４０の近傍を拡大して示す。
【００２２】
第２支持部材１４０の一端側である上部係合部１４２は、湾曲した弧状の形状を有する。この上部係合部１４２の先端を、鎖１３０を形成する環状鎖素子から選択した第２環状鎖素子１３４に挿入することにより、第２支持部材１４０は鎖１３０に吊り下げられる。図示の例では、鎖１３０の中程に位置する環状鎖素子が第２環状鎖素子１３４として選択される。これにより、第２支持部材１４０は、鎖１３０から支持されて、重力方向について位置決めされる。
【００２３】
第２支持部材１４０の他端側である下部係合部１４４は、上部係合部１４２と対称的に湾曲した弧状の形状を有する。これにより、第２支持部材１４０は、全体としてＳ字型のＳ環を形成する。
【００２４】
下部係合部１４４の先端を、スクリーンパネル１５０に形成された貫通穴１５２に挿入することにより、スクリーンパネル１５０は、第２支持部材１４０から吊り下げられる。これにより、第２支持部材１４０は、スクリーンパネル１５０を支持して、スクリーンパネル１５０を重力方向について位置決めする。
【００２５】
上記のように構成された飛沫防止スクリーン１０１は、設置場所の固定構造物１１０に引っ掛けることにより、容易に設置できる。また、飛沫防止スクリーン１０１を設置するに当たって、設置場所の造作を加工しなくてもよいので、撤去、移動等も容易である。
【００２６】
なお、商業施設等では、鎖１３０の余剰部分１３６および第２支持部材１４０の先端部が、図中に矢印Ａで示す来店客の居る側に対して、矢印Ｂで示すスクリーンパネル１５０の後方の側に位置するように配置して、飛沫防止スクリーン１０１の美観を向上できる。また、スクリーンパネルの高さが決まったら、鎖１３０の余剰部分１３６は切断により除去してもよい。
【００２７】
図５は、図１に示した飛沫防止スクリーン１０１の他の状態を示す図である。図５は、飛沫防止スクリーン１０１において、スクリーンパネル１５０の高さを変更した状態を示す。
【００２８】
図５に示した飛沫防止スクリーン１０１においては、第２支持部材１４０と係合する第２環状鎖素子１３４を、鎖１３０の下端に位置する環状鎖素子に変更している。これにより、スクリーンパネル１５０の位置が大幅に低くなる。
【００２９】
このように、飛沫防止スクリーン１０１においては、鎖１３０を形成する環状鎖素子から選択する第２環状鎖素子１３４を変更することにより、スクリーンパネル１５０の高さを所望の高さに容易に変更できる。また、スクリーンパネル１５０の高さを決める第２支持部材１４０の高さは、第１環状鎖素子１３２から第２環状鎖素子１３４までの間の環状鎖素子の数に応じて離散的に変化するので、環状鎖素子の数を合わせるだけで、スクリーンパネル１５０を容易に水平に位置決めできる。
【００３０】
図６は、図１に示した飛沫防止スクリーン１０１の他の状態を示す図である。図６は、図５に示した状態から更にスクリーンパネル１５０の高さを変更した状態を示す。
【００３１】
図６に示した飛沫防止スクリーン１０１においては、第１支持部材１２０と係合する第１環状鎖素子１３２を、鎖１３０の上端に位置する環状鎖素子から、鎖１３０の下端に位置する環状鎖素子に変更している。即ち、図示の状態の飛沫防止スクリーン１０１においては、単一の環状鎖素子が、第１環状鎖素子１３２と第２環状鎖素子１３４とを兼ねている。これにより、スクリーンパネル１５０の位置は、固定構造物１１０の直近まで上昇している。また、鎖１３０の余剰部分１３６は、固定構造物１１０のオイルキャッチ部分に収容さされ、スクリーンパネル１５０の方へ垂れ下がっていない。
【００３２】
このように、飛沫防止スクリーン１０１においては、鎖１３０を形成する環状鎖素子から選択する第１環状鎖素子１３２を変更することにより、スクリーンパネル１５０の高さを所望の高さに容易に変更できる。また、この場合も、スクリーンパネル１５０の高さを決める第２支持部材１４０の高さは、第１環状鎖素子１３２から第２環状鎖素子１３４までの間の環状鎖素子の数に応じて離散的に変化するので、環状鎖素子の数を合わせるだけで、スクリーンパネル１５０を容易に水平に位置決めできる。
【００３３】
なお、各図に示す鎖１３０は、各鎖１３０における隣接する環状鎖素子の向きが９０°異なるように記載している。しかしながら、環状鎖素子は相互に固定されているわけではない。従って、図中で開口が見えていない環状鎖素子も第１環状鎖素子１３２または第２環状鎖素子１３４として選択できる。
【００３４】
また、上記のように、第１支持部材１２０および第２支持部材１４０のいずれか一方と係合する第１環状鎖素子１３２または第２環状鎖素子１３４を変更すれば、スクリーンパネル１５０の高さを変更できる。従って、第１支持部材１２０および第２支持部材１４０のいずれか他方において、鎖１３０に対して係合する下部係合部１２４または上部係合部１４２は、環状鎖素子から取り外すことができない閉じた環状の形状であってもよい。
【００３５】
図７は、他の形態を有する第１支持部材２２０を示す図である。図３に示した第１支持部材１２０の上部係合部１２２および下部係合部１２４が、互いに点対称になる形状を有してＳ環を形成していたのに対して、図７に示す第１支持部材２２０の上部係合部２２２および下部係合部２２４は、水平軸に対して線対称な形状を有する。これにより、第１支持部材２２０は、全体としてＣ字型の形状を有して、固定構造物１１１に対して第１支持部材２２０を引っ掛ける場合の引っ掛け方向が、第１支持部材１２０と反対になるので、固定構造物１１１が壁際に位置する場合等の制限を回避できる。
【００３６】
なお、図示の例で、固定構造物１１１は、水平に固定された円形の断面形状を有する棒状の造作である。また、第１支持部材２２０は、その先端が、矢印Ａで示す前側から見えないように、矢印Ｂで示すスクリーンパネル１５０後方に向けられている。
【００３７】
このように、第１支持部材１２０、２２０の形状は、係合の対象となる固定構造物１１０の形状に応じて様々値変形させることができる。図３および図７に示した例では円形の断面形状を有する固定構造物１１０を係合の対象としているが、例えば、係合の対象が、レンジフードを形成する板金の折り返しである場合は、より薄い材料で第１支持部材１２０、２２０を形成してもよい。また、上部係合部２２２を引っ掛ける対象が、給電ダクトのように矩形断面を有する場合は、上部係合部２２２の形状もそれに倣った形状としてもよい。
【００３８】
図８は、更に他の形態を有する第１支持部材３２０を示す図である。図３および図７に示した第１支持部材１２０、２２０が、固定構造物１１０に引っ掛ける構造であったのに対して、図８に示す第１支持部材３２０は、天井パネル等の水平面にねじ止めするヒートンの形状を有する。第１支持部材３２０は、矢印Ｂで示すスクリーンパネル１５０後方に先端を向けて、矢印Ａで示す前側から当該先端が見えないようにしてもよい。
【００３９】
即ち、図示の第１支持部材３２０は、他の第１支持部材１２０、２２０と同様に弧状の形状の下部係合部３２４を有するのに対して、上部係合部３２２は木ねじ形状またはタッピングねじ形状となっている。これにより、第１支持部材１２０、２２０を引っ掛けられる固定構造物１１０が無い場所にも飛沫防止スクリーン１０１を設置できる。
【００４０】
図９は、他の形態を有する第２支持部材２４０を示す図である。図４に示した第２支持部材１４０の上部係合部１４２および下部係合部１４４が、互いに点対称になる形状を有してＳ環を形成していたのに対して、図９に示す第２支持部材２４０の上部係合部２４２および下部係合部２４４は、水平軸に対して線対称な形状を有する。これにより、第２支持部材２４０は、全体としてＣ字型の形状を有して、環状鎖素子またはスクリーンパネル１５０に対して第２支持部材２４０を引っ掛ける場合の引っ掛け方向が、第２支持部材１４０と反対になるので、奥行きが大きいテーブルの中央に飛沫防止スクリーン１０１を設置する場合等の作業が容易になる。第２支持部材２４０は、矢印Ｂで示すスクリーンパネル１５０後方に先端を向けて、矢印Ａで示す前側から当該先端が見えないようにしてもよい。
【００４１】
図１０は、更に他の形態を有する第２支持部材３４０を示す図である。第２支持部材３４０の上部係合部３４２は、図４に示した第２支持部材１４０の上部係合部１４２と同様に弧状の形状を有する。これに対して、図１０に示す第２支持部材３４０の下部係合部３４４は閉じた環状の形状を有する。これにより、スクリーンパネル１５０の高さを頻繁に変更する場合等に、第２支持部材３４０の脱落が防止される。また、下部係合部３４４が環状なので、矢印Ａ側に第２支持部材３４０の先端部が現れない。
【００４２】
なお上記の例では金物を用いたが、第１支持部材１２０、２２０、３２０および第２支持部材１４０、２４０、３４０の材料に制限はない。従って、第１支持部材１２０、２２０、３２０および第２支持部材１４０、２４０、３４０の一部または全部を、紐、ワイヤ等の他の材料によって形成してもよい。
【００４３】
図１１は、他の飛沫防止スクリーン１０２の正面図である。図１２は、飛沫防止スクリーン１０２の背面図である。図１３は、飛沫防止スクリーン１０２の右側面図であり、飛沫防止スクリーン１０２の左側面は、右側面と対称に表れる。図１４は、飛沫防止スクリーン１０２の平面図であり、図１５は、飛沫防止スクリーン１０２の底面図である。
【００４４】
飛沫防止スクリーン１０２は、第１支持部材４２０、鎖４３０、第２支持部材４４０、およびスクリーンパネル４５０を有する。第１支持部材４２０は、鎖４３０を形成する複数の環状鎖素子のひとつと係合して鎖１３０を支持する。第２支持部材４４０は、鎖４３０を形成する複数の環状鎖素子のひとつと一端で係合して、鎖４３０から支持される。第２支持部材４４０は、スクリーンパネル４５０に他端で係合してスクリーンパネル４５０を支持する。
【００４５】
このような構造により、スクリーンパネル４５０は、第２支持部材４４０および鎖４３０を介して第１支持部材４２０から吊り下げられる。従って、第１支持部材４２０を固定構造物１１０に係合させることにより、スクリーンパネル４５０を固定構造物１１０に対して位置決めできる。なお、鎖４３０の下端側の余剰部分１３６は、スクリーンパネル４５０に沿って垂れ下がっている。
【００４６】
図１６は、図１１に示した飛沫防止スクリーン１０２におけるＡ−Ａ'部の部分拡大図であり、鎖４３０の一部が示される。図示のように、飛沫防止スクリーン１０２の鎖４３０は、連続する環状鎖素子の開口の向きが互いに同じになる喜平鎖である。
【００４７】
図１７は、図１３に示した飛沫防止スクリーン１０２におけるＢ−Ｂ'部の部分拡大図である。第１支持部材４２０の上部は湾曲した弧状の形状を有し、この部分を固定構造物１１０に引っ掛けることにより、第１支持部材４２０を固定構造物１１０に支持させて、重力方向について位置決めできる。
【００４８】
第１支持部材４２０の下部は、上部と対称に湾曲した弧状の形状を有する。これにより、第１支持部材４２０は、全体としてＳ字型のＳ環を形成する。第１支持部材４２０の下部を鎖４３０の上端に位置する環状鎖素子に挿入することにより、第１支持部材４２０は鎖４３０を吊り下げて位置決めする。
【００４９】
図１８は、図１３に示した飛沫防止スクリーン１０２におけるＣ−Ｃ'部の部分拡大図である。第２支持部材４４０は、湾曲した弧状の形状を有する上部先端を鎖１３０の中程に位置する環状鎖素子に挿入することにより、鎖１３０から吊り下げられる。これにより、第２支持部材４４０は、鎖１３０から支持されて位置決めされる。
【００５０】
第２支持部材４４０は、上部と対称的に湾曲した弧状の下端をスクリーンパネル４５０に形成された貫通穴に挿入することにより、スクリーンパネル４５０を吊り下げる。これにより、第２支持部材４４０は、スクリーンパネル４５０を支持して、スクリーンパネル４５０を重力方向について位置決めする。
【００５１】
図１９は、飛沫防止スクリーン１０２の他の状態を示す図である。図１９は、飛沫防止スクリーン１０２において、スクリーンパネル１５０の高さが変更された状態を示す。
【００５２】
図１９に示した飛沫防止スクリーン１０２においては、第２支持部材２４０が、より低い位置にある環状鎖素子に係合する。このため、第２支持部材２４０に吊られたスクリーンパネル４５０の位置も下がっている。このように、飛沫防止スクリーン１０２においては、鎖１３０を形成する環状鎖素子から第２支持部材４４０を係合させる環状鎖素子を変更することにより、スクリーンパネル４５０の高さを所望の高さに容易に変更できる。なお、飛沫防止スクリーン１０２においては、第１支持部材４２０に係合させる環状鎖素子を変更することによってもスクリーンパネル１５０の位置を変更できる。
【００５３】
なお、飛沫防止スクリーン１０１、１０２で使用する鎖１３０、４３０の種類に制限はない。よって、用途および美観に照らして、さまざまな形態の鎖１３０、４３０を使用できる。他の種類の鎖１３０、４３０としては、喜平鎖、ビクター鎖、マンテル鎖、サッシュ鎖、打ち抜きチェーン、およびラダーチェーンを例示できる。
【００５４】
また、上記した飛沫防止スクリーン１０１、１０２は、それぞれが第１支持部材１２０、４２０、鎖１３０、４３０、および第２支持部材２４０、４４０を含む一対の組立体によりスクリーンパネル１５０、４５０を吊る構造とした。しかしながら、組立体の数に制限はなく、１組の、あるいは、３組以上の組立体でスクリーンパネル１５０、４５０を吊ってもよい。
【００５５】
更に、飛沫防止スクリーン１０１、１０２は、いずれも平坦な板状のスクリーンパネル１５０、４５０を備えていた。しかしながら、スクリーンパネル１５０、４５０の形状に制限はなく、例えば、円筒面から切り出した形状、球面から切り出した形状、折り目を有してある領域を囲う形状等、様々に変形させてもよい。
【００５６】
また、スクリーンパネル１５０、４５０の数にも制限はなく、縦および／または横に複数のスクリーンパネル１５０、４５０を並べてもよい。これにより、例えば、複数のスクリーンパネル１５０、４５０を用いて、単独のスクリーンパネル１５０、４５０の高さを超える任意の高さを有する飛沫防止スクリーン１０１、１０２を設置できる。
【００５７】
また、複数のスクリーンパネル１５０、４５０を用いて、単独のスクリーンパネル１５０、４５０の幅を超える任意の幅を有する飛沫防止スクリーン１０１、１０２を設置できる。更に、複数のスクリーンパネル１５０、４５０を用いて、見下ろした場合に、全体に弧または多角形を描く複雑な形状の飛沫防止スクリーン１０１、１０２を設置できる。
【００５８】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５９】
特許請求の範囲、明細書、および図面中において示した装置、システム、プログラム、および方法における動作、手順、ステップ、および段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」等を用いて説明したとしても、この順で実施することが必須であることを意味するものではない。
【符号の説明】
【００６０】
１０１、１０２  飛沫防止スクリーン、１１０、１１１  固定構造物、１２０、２２０、３２０、４２０  第１支持部材、１２２、２２２、３２２、１４２、２４２、３４２  上部係合部、１２４、２２４、３２４、１４４、２４４、３４４  下部係合部、１３０、４３０  鎖、１３２  第１環状鎖素子、１３４  第２環状鎖素子、１３６  余剰部分、１４０、２４０、３４０、４４０  第２支持部材、１５０、４５０  スクリーンパネル、１５２  貫通穴
【図１】
2022001150.tif 000003
【図２】
2022001150.tif 000004
【図３】
2022001150.tif 000005
【図４】
2022001150.tif 000006
【図５】
2022001150.tif 000007
【図６】
2022001150.tif 000008
【図７】
2022001150.tif 000009
【図８】
2022001150.tif 000010
【図９】
2022001150.tif 000011
【図１０】
2022001150.tif 000012
【図１１】
2022001150.tif 000013
【図１２】
2022001150.tif 000014
【図１３】
2022001150.tif 000015
【図１４】
2022001150.tif 000016
【図１５】
2022001150.tif 000017
【図１６】
2022001150.tif 000018
【図１７】
2022001150.tif 000019
【図１８】
2022001150.tif 000020
【図１９】
2022001150.tif 000021
【手続補正書】
【提出日】令和3年8月20日(2021.8.20)
【手続補正１】
【補正対象書類名】特許請求の範囲
【補正対象項目名】全文
【補正方法】変更
【補正の内容】
【特許請求の範囲】
【請求項１】
固定構造物から吊り下げられる飛沫防止スクリーンであって、
複数の環状鎖素子を連結して形成された鎖と、
一端側が前記固定構造物に支持され、前記複数の環状鎖素子から選択された第１環状鎖素子に他端側が挿入された第１支持部材と、
前記複数の環状鎖素子のうち、重力方向について前記第１環状鎖素子よりも低い位置に位置する環状鎖素子から選択された第２環状鎖素子に一端側が挿入された第２支持部材と、
前記第２支持部材の他端側に支持され、自重で撓まない剛性を有する平坦な板状のスクリーンパネルと、
を備え、
前記第２支持部材の前記他端側は前記スクリーンパネルに設けられた穴に挿入される飛沫防止スクリーン。
【請求項２】
前記固定構造物はレンジフードの一部である請求項１に記載の飛沫防止スクリーン。
【請求項３】
前記第２支持部材は、一対の弧状部分を連結したＳ字型およびＣ字型のいずれかの形状を有する請求項１または２に記載の飛沫防止スクリーン。
【請求項４】
前記スクリーンパネルは、調理器具が発生した熱に耐える耐熱性を有する透明な樹脂板により形成される請求項１から３のいずれか一項に記載の飛沫防止スクリーン。
【請求項５】
前記スクリーンパネルは、ポリカーボネート樹脂、フェノール樹脂、不飽和ポリエステル樹脂、ポリスルフォン樹脂、ポリテトラフルオロエチレン（ＰＴＦＥ）樹脂、シリコーン樹脂、および、エポキシ樹脂から選択された板材により形成される請求項４に記載の飛沫防止スクリーン。
【請求項６】
前記スクリーンパネルは、調理器具が発生した熱に耐える耐熱性を有する透明な無機ガラスにより形成される請求項１から３のいずれか一項に記載の飛沫防止スクリーン。
【請求項７】
固定構造物に対して吊り下げられる飛沫防止スクリーンの設置方法であって、
複数の環状鎖素子を連結して形成された鎖から第１環状鎖素子を選択する段階と、
一端側が前記固定構造物に支持された第１支持部材の他端側を前記第１環状鎖素子に挿入する段階と、
前記複数の環状鎖素子のうち、重力方向について前記第１環状鎖素子よりも低い位置に位置する環状鎖素子から第２環状鎖素子を選択する段階と、
前記第２環状鎖素子に第２支持部材の一端側を挿入する段階と、
前記第２支持部材の他端側を、自重で撓まない剛性を有する平坦な板状のスクリーンパネルに設けられた穴に挿入することにより、前記スクリーンパネルを支持させる段階と、
を備える設置方法。